(57)【要約】【課題】各バンドパスフィルタにおいて分波する効率を低下させることなく分岐構造を小さくして分波装置の小型化を可能とする分波装置の分岐構造を提供する。【解決手段】導波管と、共振器を備えるとともに第１の周波数を中心周波数として通過させる第１のバンドパスフィルタと、共振器を備えるとともに第２の周波数を中心周波数として通過させる第２のバンドパスフィルタとを有し、第１のバンドパスフィルタと第２のバンドパスフィルタとは第１のバンドパスフィルタにおける第１の側壁を共有して隣接し、第１のバンドパスフィルタおよび第２のバンドパスフィルタは第１の側壁に共振器を備え、導波管と第１のバンドパスフィルタに設けられた共振器および第２のバンドパスフィルタに設けられた共振器とは磁界により結合されるようにした。【選択図】        図３
2010245656.tif 000002
【特許請求の範囲】
【請求項１】
導波管と、
共振器を備えるとともに第１の周波数を中心周波数として通過させる第１のバンドパスフィルタと、
共振器を備えるとともに第２の周波数を中心周波数として通過させる第２のバンドパスフィルタと
を有し、
前記第１のバンドパスフィルタと前記第２のバンドパスフィルタとは前記第１のバンドパスフィルタにおける第１の側壁を共有して隣接しており、
前記第１のバンドパスフィルタおよび前記第２のバンドパスフィルタはそれぞれ前記第１の側壁において前記共振器が備えられ、
前記導波管と前記第１のバンドパスフィルタに設けられた共振器および前記第２のバンドパスフィルタに設けられた共振器とは磁界により結合される
ことを特徴とする分波装置における分岐構造。
【請求項２】
請求項１に記載の分波装置における分岐構造において、さらに、
共振器を備えるとともに第３の周波数を中心周波数として通過させる第３のバンドパスフィルタと
を有し、
前記第３のバンドパスフィルタは前記第１のバンドパスフィルタと前記第１のバンドパスフィルタにおける第２の側壁を共有して隣接しており、
前記第３のバンドパスフィルタは前記第３のバンドパスフィルタにおける第１の側壁において前記共振器が備えられ、
前記導波管と前記第３のバンドパスフィルタに設けられた共振器とは磁界により結合される
ことを特徴とする分波装置における分岐構造。
【請求項３】
請求項２に記載の分波装置における分岐構造において、さらに、
共振器を備えるとともに第４の周波数を中心周波数として通過させる第４のバンドパスフィルタと
を有し、
前記第４のバンドパスフィルタは前記第３のバンドパスフィルタと前記第３のバンドパスフィルタにおける前記第１の側壁を共有して隣接するとともに、前記第４のバンドパスフィルタは前記第２のバンドパスフィルタと前記第２のバンドパスフィルタにおける側壁を共有して隣接しており、
前記第４のバンドパスフィルタは前記第３のバンドパスフィルタにおける前記第１の側壁において前記共振器が備えられ、
前記導波管と前記第４のバンドパスフィルタに設けられた共振器とは磁界により結合される
ことを特徴とする分波装置における分岐構造。
【請求項４】
請求項３に記載の分波装置における分岐構造において、
前記第１のバンドパスフィルタ、前記第２のバンドパスフィルタ、前記第３のバンドパスフィルタおよび前記第４のバンドパスフィルタは、前記導波管とステップ導波管を介して接続される
ことを特徴とする分岐装置における分岐構造。
【請求項５】
請求項１、２、３および請求項４のいずれか１項に記載の分波装置における分岐構造において、
前記共振器は、ＴＥ０１δモード誘電体共振器である
ことを特徴とする分岐装置における分岐構造。
【請求項６】
請求項１、２、３および請求項４のいずれか１項に記載の分波装置における分岐構造において、
前記共振器は、金属の同軸共振器である
ことを特徴とする分波装置における分岐構造。
【発明の詳細な説明】
【技術分野】
【０００１】
本発明は、分波装置における分岐構造に関し、さらに詳細には、共振器を備えたバンドパスフィルタを用いた分波装置における分岐構造に関する。
【背景技術】
【０００２】
従来より、分波装置としては、例えば、誘電体共振器などの共振器を備えたバンドパスフィルタを使用した構成のものが知られている。
【０００３】
図１（ａ）（ｂ）（ｃ）には、こうした従来の分波装置として、分岐構造を備えた分波装置が示されている。
【０００４】
なお、図１（ａ）には、従来技術による分岐構造を備えた分波装置の概略構成斜視説明図が示され、また、図１（ｂ）には、図１（ａ）のＡ−Ａ線による断面状態を示す端面図が示され、また、図１（ｃ）には、図１（ａ）のＢ−Ｂ線による断面状態を示す端面図が示されている。
【０００５】
この従来技術による分岐構造を備えた分波装置１００は、分波もしくは合波されるマイクロ波帯搬送信号を入出力する導波管１２と、ＴＥ０１δモード誘電体共振器１４ａ、１４ｂ、１４ｃを備えるとともに導波管１２における電磁波の進行方向に直角に接続されて第１の周波数ｆ１を中心周波数として通過させるバンドパスフィルタ１６と、ＴＥ０１δモード誘電体共振器１８ａ、１８ｂ、１８ｃを備えるとともに導波管１２における電磁波の進行方向に直角に接続されて第２の周波数ｆ２を中心周波数として通過させるバンドパスフィルタ２０と、ＴＥ０１δモード誘電体共振器１４ａ、１４ｂ、１４ｃにおいて対応する周波数をそれぞれ調整する調整ネジ２２ａ、２２ｂ、２２ｃと、ＴＥ０１δモード誘電体共振器１８ａ、１８ｂ、１８ｃにおいて対応する周波数をそれぞれ調整する調整ネジ２４ａ、２４ｂ、２４ｃとを有して構成されている。
【０００６】
ここで、導波管１２は位相線路として使用されており、バンドパスフィルタ１６とバンドパスフィルタ２０との間は、電磁波の進行方向に対してｎλｇ／２（ｎ：次数であり整数で表される、λｇ：管内波長）の長さの位相線路で接続されている。
【０００７】
つまり、バンドパスフィルタ１６とバンドパスフィルタ２０とは、ｎλｇ／２の距離を設けて導波管１２に接続されている。
【０００８】
このため、導波管１２にそれぞれ接続されたバンドパスフィルタ１６およびバンドパスフィルタ２０の入力インピーダンスは、それぞれのバンドパスフィルタにおいて通過する周波数以外の周波数では開放インピーダンス（インピーダンス無限大）となる。
【０００９】
また、ＴＥ０１δモード誘電体共振器１４ａ、１４ｂ、１４ｃの寸法や調整ネジ２２ａ、２２ｂ、２２ｃのねじ込み量を調整することにより、バンドパスフィルタ１６が第１の周波数ｆ１を中心周波数として通過するように調整されている。
【００１０】
同様に、ＴＥ０１δモード誘電体共振器１８ａ、１８ｂ、１８ｃの寸法や調整ネジ２４ａ、２４ｂ、２４ｃのねじ込み量を調整することにより、バンドパスフィルタ２０が第２の周波数ｆ２を中心周波数として通過するように調整されている。
【００１１】
そして、導波管１２とバンドパスフィルタ１６に設けられたＴＥ０１δモード誘電体共振器１４またはバンドパスフィルタ２０に設けられたＴＥ０１δモード誘電体共振器１８とは、図２に示すようにして磁界結合している。
【００１２】
以上の構成において、導波管１２に入力された第１の周波数ｆ１と第２の周波数ｆ２とを含むマイクロ波は、バンドパスフィルタ１６において第１の周波数ｆ１が分波され、バンドパスフィルタ２０において第２の周波数ｆ２が分波されるようになる。
【００１３】
このとき、バンドパスフィルタ１６とバンドパスフィルタ２０とがｎλｇ／２の距離を設けて導波管１２に接続されているため、第１の周波数ｆ１に対してバンドパスフィルタ２０のインピーダンスが無限大となって、第１の周波数ｆ１によるバンドパスフィルタ２０への漏れ込みは小さくなり、第１の周波数ｆ１がバンドパスフィルタ１６へ効率よく結合するようになる。
【００１４】
また、バンドパスフィルタ１６とバンドパスフィルタ２０とがｎλｇ／２の距離を設けて導波管１２に接続されているため、第２の周波数ｆ２に対してバンドパスフィルタ１６のインピーダンスが無限大となって、第２の周波数ｆ２によるバンドパスフィルタ１６の漏れ込みは小さくなり、第２の周波数ｆ２がバンドパスフィルタ２０へ効率よく結合するようになる。
【００１５】
このようにして、第１の周波数ｆ１と第２の周波数ｆ２とを含むマイクロ波から、第１の周波数ｆ１および第２の周波数ｆ２を効率よく分波するようになされている。
【００１６】
また、２つ以上の複数の周波数を分波する場合には、通過する中心周波数の異なるバンドパスフィルタを分波する周波数の数だけ用意し、各バンドパスフィルタをｎλｇ／２の距離を設けて導波管に接続することにより、複数の周波数を効率よく分波することができるようになる。
【００１７】
しかしながら、上記した従来技術の分岐構造を備えた分波装置１００においては、バンドパスフィルタ１６とバンドパスフィルタ２０とを単にλｇ／２のｎ倍（整数倍）の距離を設けて導波管に接続されているため、バンドパスフィルタ１６とバンドパスフィルタ２０との間に間隔ｇが設けられてしまい、例えば、３つ以上の複数の周波数を分波する場合などには、間隔ｇが複数設けられることとなってしまい、こうした分岐構造を用いた分波装置においては、装置自体が大型化してしまうという問題点が指摘されていた。
【００１８】
なお、本願出願人が特許出願のときに知っている先行技術は、文献公知発明に係る発明ではないため、記載すべき先行技術文献情報はない。
【図面の簡単な説明】
【００１９】
【図１】図１（ａ）は、従来技術による分岐構造を備えた分波装置の概略構成斜視説明図であり、図１（ｂ）は、図１（ａ）のＡ−Ａ線による断面状態を示す端面図であり、図１（ｃ）は、図１（ａ）のＢ−Ｂ線による断面状態を示す端面図である。
【図２】図２（ａ）は、導波管とＴＥ０１δモード誘電体共振器との磁界結合の状態を示す説明図である。
【図３】図３（ａ）は、本発明による分岐構造を備えた分波装置の概略構成斜視説明図であり、図３（ｂ）は、図３（ａ）のＣ−Ｃ線による断面形状を示す端面図であり、図３（ｃ）は、図３（ａ）のＤ−Ｄ線による断面形状を示す端面図である。
【図４】図４（ａ）は、導波管とＴＥ０１δモード誘電体共振器との結合状態を示す説明図であり、図４（ｂ）は、分岐構造を備えた分波装置の模式図である。
【図５】図５は、本発明による分岐構造を備えた分波装置の変形例を示す概略構成斜視説明図である。
【図６】図６（ａ）は、図５のＥ−Ｅ線による断面形状を示す端面図であり、  図６（ｂ）は、図５のＦ−Ｆ線による断面形状を示す端面図であり、図６（ｃ）は、図５のＧ−Ｇ線による断面形状を示す端面図であり、図６（ｄ）は、図５のＨ−Ｈ線による断面形状を示す端面図である。
【図７】図７（ａ）（ｂ）は、図５に示す分岐構造を備えた分岐装置における導波管とＴＥ０１δモード誘電体共振器との結合状態を示す説明図である。
【図８】図８は、本発明による分岐構造を備えた分波装置の変形例を示す概略構成斜視説明図である。
【図９】図９（ａ）は、本発明による複数種類の周波数を分波する分岐構造を備えた分岐装置を示す概略構成斜視説明図であり、図９（ｂ）は、図９（ａ）に示す分岐構造を備えた分岐装置における導波管とＴＥ０１δモード誘電体共振器との結合状態を示す説明図である。
【図１０】図１０は、本発明による分岐構造を備えた分波装置の変形例を示す概略構成斜視説明図である。
【図１１】図１１（ａ）は、図１０のＩ−Ｉ線による断面形状を示す端面図であり、図１１（ｂ）は、図１０のＪ−Ｊ線による断面形状を示す端面図であり、図１１（ｃ）は、図１０のＫ−Ｋ線による断面形状を示す端面図である。
【図１２】図１２（ａ）は、本発明による分岐構造を備えた分波装置の変形例を示す概略構成斜視説明図であり、図１２（ｂ）は、図１２（ａ）のＬ−Ｌ線による断面形状を示す端面図であり、図１２（ｃ）は、図１２（ａ）のＭ−Ｍ線による断面形状を示す端面図であり、図１２（ｄ）は、導波管と同軸共振器との磁界結合の状態を示す説明図である。
【発明の概要】
【発明が解決しようとする課題】
【００２０】
本発明は、上記したような従来の技術の有する種々の問題点に鑑みてなされたものであり、その目的とするところは、各バンドパスフィルタにおいて分波する効率を低下させることなく分岐構造を小さくして分波装置の小型化を可能とする分波装置における分岐構造を提供しようとするものである。
【課題を解決するための手段】
【００２１】
上記目的を達成するために、本発明は、導波管と、共振器を備えるとともに第１の周波数を中心周波数として通過させる第１のバンドパスフィルタと、共振器を備えるとともに第２の周波数を中心周波数として通過させる第２のバンドパスフィルタとを有し、上記第１のバンドパスフィルタと上記第２のバンドパスフィルタとは上記第１のバンドパスフィルタにおける第１の側壁を共有して隣接しており、上記第１のバンドパスフィルタおよび上記第２のバンドパスフィルタはそれぞれ上記第１の側壁において上記共振器が備えられ、
上記導波管と上記第１のバンドパスフィルタに設けられた共振器および上記第２のバンドパスフィルタに設けられた共振器とは磁界により結合されるようにしたものである。
【００２２】
また、本発明は、上記した本発明において、さらに、共振器を備えるとともに第３の周波数を中心周波数として通過させる第３のバンドパスフィルタとを有し、上記第３のバンドパスフィルタは上記第１のバンドパスフィルタと上記第１のバンドパスフィルタにおける第２の側壁を共有して隣接しており、上記第３のバンドパスフィルタは上記第３のバンドパスフィルタにおける第１の側壁において上記共振器が備えられ、上記導波管と上記第３のバンドパスフィルタに設けられた共振器とは磁界により結合されるようにしたものである。
【００２３】
また、本発明は、上記した本発明において、さらに、共振器を備えるとともに第４の周波数を中心周波数として通過させる第４のバンドパスフィルタとを有し、上記第４のバンドパスフィルタは上記第３のバンドパスフィルタと上記第３のバンドパスフィルタにおける上記第１の側壁を共有して隣接するとともに、上記第４のバンドパスフィルタは上記第２のバンドパスフィルタと上記第２のバンドパスフィルタにおける側壁を共有して隣接しており、上記第４のバンドパスフィルタは上記第３のバンドパスフィルタにおける上記第１の側壁において上記共振器が備えられ、上記導波管と上記第４のバンドパスフィルタに設けられた共振器とは磁界により結合されるようにしたものである。
【００２４】
また、本発明は、上記した本発明において、上記第１のバンドパスフィルタ、上記第２のバンドパスフィルタ、上記第３のバンドパスフィルタおよび上記第４のバンドパスフィルタは、上記導波管とステップ導波管を介して接続されるようにしたものである。
【００２５】
また、本発明は、上記した本発明において、上記共振器は、ＴＥ０１δモード誘電体共振器であるようにしたものである。
【００２６】
また、本発明は、上記した本発明において、上記共振器は、金属の同軸共振器であるようにしたものである。
【発明の効果】
【００２７】
本発明は、以上説明したように構成されているので、各バンドパスフィルタにおいて分波する効率を低下させることなく分岐構造を小さくして分波装置の小型化を可能とするという優れた効果を奏する。
【発明を実施するための形態】
【００２８】
以下、添付の図面を参照しながら、本発明による分波装置における分岐構造の実施の形態の一例を詳細に説明するものとする。
【００２９】
なお、以下の説明においては、図１乃至図２を参照しながら説明した従来の技術による分波装置における分岐構造と同一または相当する構成については、上記において用いた符号と同一の符号を用いて示すことにより、その詳細な構成ならびに作用の説明は適宜に省略することとする。
【００３０】
ここで、図３（ａ）には、本発明による分岐構造を備えた分波装置の概略構成斜視説明図が示されており、また、図３（ｂ）には、図３（ａ）のＣ−Ｃ線による断面形状を示す端面図が示されており、また、図３（ｃ）には、図３（ａ）のＤ−Ｄ線による断面形状を示す端面図が示されており、また、図４（ａ）には、導波管とＴＥ０１δモード誘電体共振器との結合状態を示す説明図が示されており、また、図４（ｂ）には、分岐構造を備えた分波装置の模式図が示されている。
【００３１】
この分岐構造を備えた分波装置１０は、上記した従来技術による分岐構造を備えた分波装置１００と同様に、導波管１２にバンドパスフィルタ１６とバンドパスフィルタ２０とが導波管１２に接続されて構成されているが、電磁波の進行方向に沿って、バンドパスフィルタ１６とバンドパスフィルタ２０とが互いに隣接して導波管１２に接続されている点において、従来技術による分岐構造を備えた分波装置１００と異なっている。
【００３２】
より詳細には、バンドパスフィルタ１６とバンドパスフィルタ２０とは、バンドパスフィルタ１６の側壁１６ａを共有して構成されており、バンドパスフィルタ１６においては、側壁１６ａの壁面１６ａａにＴＥ０１δモード誘電体共振器１４ａ、１４ｂ、１４ｃを備えており、壁面１６ａａと対向する側壁１６ｂのＴＥ０１δモード誘電体共振器１４ａ、１４ｂ、１４ｃに対向する位置に調整ネジ２２ａ、２２ｂ、２２ｃが設けられている。
【００３３】
また、バンドパスフィルタ２０においては、側壁１６ａの壁面１６ａｂにＴＥ０１δモード誘電体共振器１８ａ、１８ｂ、１８ｃを備えており、壁面１６ａｂと対向する側壁２０ａのＴＥ０１δモード誘電体共振器１８ａ、１８ｂ、１８ｃに対向する位置に調整ネジ２４ａ、２４ｂ、２４ｃが設けられている。
【００３４】
また、本発明による分岐構造を備えた分波装置１０においては、導波管１２とＴＥ０１δモード誘電体共振器１４を備えたバンドパスフィルタ１６およびＴＥ０１δモード誘電体共振器１８を備えたバンドパスフィルタ２０とが磁界結合により結合されていると考えられるため（図４（ａ）を参照する。）、導波管１２とバンドパスフィルタ１６およびバンドパスフィルタ２０との境界付近に共通分岐点２８が存在することとなる。
【００３５】
ここで、バンドパスフィルタ１６およびバンドパスフィルタ２０は、それぞれ共通分岐点２８とｎλｇ／２の長さの位相線路３０で接続される（図４（ｂ）を参照する。）が、バンドパスフィルタ１６とバンドパスフィルタ２０とは隣接して導波管１２に接続されているため、分波装置１０においては電磁波の進行方向に対してｎ＝０となっている。
【００３６】
以上の構成において、導波管１２に入力された第１の周波数ｆ１と第２の周波数ｆ２とを含むマイクロ波は、バンドパスフィルタ１６において第１の周波数ｆ１が分波され、バンドパスフィルタ２０において第２の周波数ｆ２が分波されるようになる。
【００３７】
ここで、本発明による分岐構造を備えた分波装置１０においては、バンドパスフィルタ１６とバンドパスフィルタ２０とを隣接して設けることにより、図４（ａ）に示すように、共通分岐点２８が導波管１２と各バンドパスフィルタに備えられたＴＥ０１δモード誘電体共振器の境界付近に生じることとなる。
【００３８】
このとき、共通分岐点２８とバンドパスフィルタ１６とがｎλｇ／２の長さの位相線路３０で接続されれば、第１の周波数ｆ１に対してバンドパスフィルタ２０のインピーダンスは無限大となり、第１の周波数ｆ１によるバンドパスフィルタ２０への漏れ込みは小さくなって、第１の周波数ｆ１がバンドパスフィルタ１６へ効率よく結合するようになる。  また、共通分岐点２８とバンドパスフィルタ２０とがｎλｇ／２の長さの位相線路３０で接続されれば、第２の周波数ｆ２に対してバンドパスフィルタ１６のインピーダンスは無限大となり、第２の周波数ｆ２によるバンドパスフィルタ１６への漏れ込みは小さくなって、第２の周波数ｆ２がバンドパスフィルタ２０へ効率よく結合するようになる。
【００３９】
こうした原理は、バンドパスフィルタ１６とバンドパスフィルタ２０とがλｇ／２のｎ倍（整数倍）の距離を設けて導波管１２に接続されるようにすればよいが、ｎ＝０の場合であっても分波装置として動作するものである。
【００４０】
従って、本発明による分岐構造を備えた分波装置１０では、バンドパスフィルタ１６とバンドパスフィルタ２０とが隣接して設けられることにより、ｎ＝０としてｎλｇ／２の長さの位相線路が省略される（ｎ＝０のため、ｎλｇ／２＝０となるため。）こととなり、分岐構造が小型化されることになる。
【００４１】
以上において説明したように、本発明による分波装置における分岐構造は、バンドパスフィルタ１６とバンドパスフィルタ２０とがバンドパスフィルタ１６の側壁１６ａを共有して互いに隣接した状態、つまり、共通分岐点２８とバンドパスフィルタ１６の位相線路および共通分岐点２８とバンドパスフィルタ２０との位相線路をなくした状態で導波管１２に接続するようにしたものである。
【００４２】
従って、本発明によれば、各バンドパスフィルタによる分波の効率を低下させることなく分岐構造を小型化できるようになる。
【００４３】
なお、上記した実施の形態は、以下の（１）乃至（４）に示すように変形することができるものである。
【００４４】
（１）上記した実施の形態においては、第１の周波数ｆ１と第２の周波数ｆ２との２種類の周波数を分波するようにしたが、これに限られるものではないことは勿論であり、３種類以上の複数の種類の周波数を分波するようにしてもよい。
【００４５】
まず、図５乃至図６を参照しながら、第１の周波数ｆ１、第２の周波数ｆ２、第３の周波数ｆ３および第４の周波数ｆ４を含むマイクロ波を第１の周波数ｆ１、第２の周波数ｆ２、第３の周波数ｆ３および第４の周波数ｆ４に分波する場合を例として説明する。
【００４６】
即ち、この分岐構造を備えた分波装置５０は、上記した本発明による分岐構造を備えた分波装置１０と同様に、第１の周波数ｆ１を中心周波数として通過させるバンドパスフィルタ１６と第２の周波数ｆ２を中心周波数として通過させるバンドパスフィルタ２０とが互いに隣接して導波管１２に接続されているが、さらに、第３の周波数ｆ３を中心周波数として通過させるバンドパスフィルタ５２と第４の周波数ｆ４を中心周波数として通過させるバンドパスフィルタ５４とが隣接して設けられるとともに、バンドパスフィルタ５２はバンドパスフィルタ１６とも隣接してもうけられ、バンドパスフィルタ５４はバンドパスフィルタとも隣接して設けられている点において、分岐構造を備えた分波装置１０と異なっている（図５を参照する。）。
【００４７】
より詳細には、隣接して設けられるバンドパスフィルタ１６とバンドパスフィルタ２０とはバンドパスフィルタ１６の側壁１６ａを共有しており、
隣接して設けられるバンドパスフィルタ１６とバンドパスフィルタ５２とはバンドパスフィルタ１６の側壁１６ｃを共有しており、
隣接して設けられるバンドパスフィルタ２０とバンドパスフィルタ５４とはバンドパスフィルタ２０の側壁２０ｂを共有しており、
バンドパスフィルタ５２とバンドパスフィルタ５４とはバンドパスフィルタ５２の側壁５２ａを共有して設けられている（図６を参照する。）。
【００４８】
そして、バンドパスフィルタ１６においては側壁１６ａの壁面１６ａａにＴＥ０１δモード誘電体共振器１４ａ、１４ｂ、１４ｃを備えており、壁面１６ａａと対向する側壁１６ｂのＴＥ０１δモード誘電体共振器１４ａ、１４ｂ、１４ｃに対向する位置に調整ネジ２２ａ、２２ｂ、２２ｃが設けられ、
バンドパスフィルタ２０においては側壁１６ａの壁面１６ａｂにＴＥ０１δモード誘電体共振器１８ａ、１８ｂ、１８ｃを備えており、壁面１６ａｂと対向する側壁２０ａのＴＥ０１δモード誘電体共振器１８ａ、１８ｂ、１８ｃに対向する位置に調整ネジ２４ａ、２４ｂ、２４ｃが設けられ（図６（ａ）を参照する。）、
バンドパスフィルタ５２においては側壁５２ａの壁面５２ａａにＴＥ０１δモード誘電体共振器６２ａ、６２ｂ、６２ｃを備えており、壁面５２ａａと対向する側壁５２ｂのＴＥ０１δモード誘電体共振器６２ａ、６２ｂ、６２ｃに対向する位置に調整ネジ６４ａ、６４ｂ、６４ｃが設けられ、
バンドパスフィルタ５４においては側壁５２ａの壁面５２ａｂにＴＥ０１δモード誘電体共振器６６ａ、６６ｂ、６６ｃを備えており、壁面５２ａｂと対向する側壁５４ａのＴＥ０１δモード誘電体共振器６６ａ、６６ｂ、６６ｃに対向する位置に調整ネジ６８ａ、６８ｂ、６８ｃが設けられている（図６（ｂ）を参照する。）。
【００４９】
以上の構成において、導波管１２に入力された第１の周波数ｆ１、第２の周波数ｆ２、第３の周波数ｆ３および第４の周波数ｆ４を含むマイクロ波が、バンドパスフィルタ１６において第１の周波数ｆ１が分波され、バンドパスフィルタ２０において第２の周波数ｆ２が分波され、バンドパスフィルタ５２において第３の周波数ｆ３が分波され、バンドパスフィルタ５４において第４の周波数ｆ４が分波されるようになる。
【００５０】
なお、このときの各バンドパスフィルタと導波管１２とは、図７に示すようにして磁界結合されていると考えられる。
【００５１】
このため、第１の周波数ｆ１に対して、バンドパスフィルタ２０、バンドパスフィルタ５２およびバンドパスフィルタ５４のそれぞれにおけるインピーダンスは無限大となり、第１の周波数ｆ１によるバンドパスフィルタ２０、バンドパスフィルタ５２およびバンドパスフィルタ５４への漏れ込みは小さくなり、第１の周波数ｆ１がバンドパスフィルタ１６へ効率よく結合するようになる。
【００５２】
また、第２の周波数ｆ２に対して、バンドパスフィルタ１６、バンドパスフィルタ５２およびバンドパスフィルタ５４のそれぞれにおけるインピーダンスは無限大となり、第２の周波数ｆ２によるバンドパスフィルタ１６、バンドパスフィルタ５２およびバンドパスフィルタ５４への漏れ込みは小さくなり、第２の周波数ｆ２がバンドパスフィルタ２０へ効率よく結合するようになる。
【００５３】
さらに、第３の周波数ｆ３に対して、バンドパスフィルタ１６、バンドパスフィルタ２０およびバンドパスフィルタ５４のそれぞれにおけるインピーダンスは無限大となり、第３の周波数ｆ３によるバンドパスフィルタ１６、バンドパスフィルタ２０およびバンドパスフィルタ５４への漏れ込みは小さくなり、第３の周波数ｆ３がバンドパスフィルタ５２へ効率よく結合するようになる。
【００５４】
さらにまた、第４の周波数ｆ４に対して、バンドパスフィルタ１６、バンドパスフィルタ２０およびバンドパスフィルタ５２のそれぞれにおけるインピーダンスは無限大となり、第４の周波数ｆ４によるバンドパスフィルタ１６、バンドパスフィルタ２０およびバンドパスフィルタ５２への漏れ込みは小さくなり、第４の周波数ｆ４がバンドパスフィルタ５４へ効率よく結合するようになる。
【００５５】
上記した４種類の周波数を分波する分波構造を備えた分波装置５０に用いられた４つのバンドパスフィルタ１６、２０、５２、５４よりなるバンドパスフィルタ群を基本な構成として、３種類の周波数を分波する分波装置を作製する場合には、当該バンドパスフィルタ群の４つのバンドパスフィルタのうち、任意のバンドパスフィルタを１つ削除することにより実現することができる。
【００５６】
より詳細には、図８に示すように、３種類の周波数を分波する分波装置８０は、上記した本発明による分岐構造を備えた分波装置５０と同様に、第１の周波数ｆ１を中心周波数として通過させるバンドパスフィルタ１６と第２の周波数ｆ２を中心周波数として通過させるバンドパスフィルタ２０とが互いに隣接して導波管１２に接続されるとともに、第３の周波数を中心周波数として通過させるバンドパスフィルタ５２とバンドパスフィルタ１６とが隣接して設けられているが、バンドパスフィルタ５４が設けられていない点において、分岐構造を備えた分波装置５０と異なっている。
【００５７】
さらに、５種類以上の周波数を分波する分波装置を作製する場合には、図９（ａ）（ｂ）に示すようにして導波管１２に複数種類の周波数を分波するバンドパスフィルタ群を設けることにより、実現することができる。
【００５８】
即ち、図９（ａ）に示す分波装置においては、４のバンドパスフィルタよりなるバンドパスフィルタ群４０、４２、４４を導波管１２に設けることにより１２種類の周波数を分波する構成となっているが、例えば、５種類の周波数を分波する分波装置を作製する場合には、導波管１２においてバンドパスフィルタ群４０が位置する箇所に２つのバンドパスフィルタより構成して２種類の周波数を分波する構成のバンドパスフィルタ群を配設し、バンドパスフィルタ群４２が位置する箇所に３つのバンドパスフィルタにより構成して３種類の周波数を分波する構成のバンドパスフィルタ群を配設し、バンドパスフィルタ群４４が位置する箇所には、バンドパスフィルタ群を設けないようにすることにより実現することができる。
【００５９】
さらに、３つ以上のバンドパスフィルタが設けられているような分岐構造においては、導波管１２と各バンドパスフィルタとの間にステップ導波管を設けるようにしてもよい。
【００６０】
つまり、図１０乃至図１１に示すように、ステップ導波管７０を導波管１２と各バンドパスフィルタとの間に設けることにより、各バンドパスフィルタの開口面を大きくすることができるため、導波管１２から各バンドパスフィルタに備えられたＴＥ０１δモード誘電体共振器への結合を強くすることができ、バンドパスフィルタの比帯域を広くすることができるようになる。
【００６１】
（２）上記した実施の形態においては、バンドパスフィルタにＴＥ０１δモード誘電体共振器を設けるようにしたが、これに限られるものではないことは勿論であり、例えば、図１２に示すように、バンドパスフィルタに金属の同軸共振器７２を設けるようにしてもよく、バンドパスフィルタに設けられる共振器は、導波管１２と磁界により結合するような共振器であればよい。
【００６２】
（３）上記した実施の形態においては、分波装置の位相線路に導波管１２を用いるようにしたが、これに限られるものではないことは勿論であり、分波装置の位相線路として同軸ケーブルを用いるようにしてもよい。
【００６３】
（４）上記した実施の形態ならびに上記した（１）乃至（３）に示す変形例は、適宜に組み合わせるようにしてもよい。
【産業上の利用可能性】
【００６４】
本発明は、マイクロ波通信装置などに用いる分波装置における分岐構造として用いられる。
【符号の説明】
【００６５】
１０、５０、８０、１００        分波装置
１２        導波管
１４ａ、１４ｂ、１４ｃ、１８ａ、１８ｂ、１８ｃ、６２ａ、６２ｂ、６２ｃ、６６ａ、６６ｂ、６６ｃ        ＴＥ０１δモード誘電体共振器
１６、２０、５２、５４        バンドパスフィルタ
２２ａ、２２ｂ、２２ｃ、２４ａ、２４ｂ、２４ｃ、６４ａ、６４ｂ、６４ｃ、６８ａ、６８ｂ、６８ｃ        調整ネジ
７０        ステップ導波管
７２        同軸共振器
【図１】
2010245656.tif 000003
【図２】
2010245656.tif 000004
【図３】
2010245656.tif 000005
【図４】
2010245656.tif 000006
【図５】
2010245656.tif 000007
【図６】
2010245656.tif 000008
【図７】
2010245656.tif 000009
【図８】
2010245656.tif 000010
【図９】
2010245656.tif 000011
【図１０】
2010245656.tif 000012
【図１１】
2010245656.tif 000013
【図１２】
2010245656.tif 000014